(57)【要約】【課題】アウトソールの爪先部分と接地面との間のグリップ力を確保する。【解決手段】アウトソール１３上にインソール１２が設けられるソールと、インソール１２上に設けられるアッパー１１とを備え、アッパー１１は、足指を覆う爪先部２１と、爪先部２１の後側部に設けられ、足の甲を覆う左右の羽根２２、２２と、左右の羽根２２、２２に対して前後方向に間隔をおいて配置される踵部２４とを有する。踵部２４は前記左右の羽根２２、２２にそれぞれ係合するフック２８を備え、インソール１２が鼻緒部１４を有し、アウトソール１３の下面の爪先側に弾性を有する複数の爪先突出部１５を備え、爪先突出部１５は、インソール１２に接する足指の腹の形状および位置に対応してアウトソール１３の下面に設けられている。【選択図】図１
0003190579.tif 000002
【実用新案登録請求の範囲】
【請求項１】
接地するアウトソール上に足裏が接するインソールが設けられるソールと、前記インソール上に設けられるアッパーとを備えるシューズにおいて、
前記アッパーは、足指を覆う爪先部と、その爪先部の後側部に設けられ、足の甲を覆う左右の羽根と、その左右の羽根に対して前後方向に間隔をおいて配置される踵部とを有し、その踵部は前記左右の羽根にそれぞれ係合するフックを備え、前記ソールは柔軟性を有し、そのインソールが鼻緒部を有し、前記アウトソールの下面の爪先側に弾性を有する複数の突出部を備え、その突出部は、前記インソールに接する足指の腹の形状および位置に対応して前記アウトソールの下面に設けられたことを特徴とするシューズ。
【請求項２】
前記アウトソールの爪先部分にピンを備え、そのピンが接地面に対して係止可能であることを特徴とする請求項１に記載のシューズ。
【考案の詳細な説明】
【技術分野】
【０００１】
この考案は、インソールに取り付けられた鼻緒と、アウトソールに形成された突出部とを備えるシューズに関する。
【背景技術】
【０００２】
従来から、内部で足指を動きやすくしたシューズとして、インソールの爪先部分に下方への段差を設けることにより、足指の収容空間を広くし、足指の可動スペースを確保したものが知られている（例えば、特開２００２−０４２８０４号公報参照）。
【０００３】
このようなシューズは、足指を動きやすくすることで足指を曲がりやすくして、足指が収容されるシューズの爪先部分と接地面との間のグリップ力の向上を図っている。
【考案の概要】
【考案が解決しようとする課題】
【０００４】
上述のシューズは、そのインソールに対して足指の位置を保持させることができないので、走る際の蹴り出し時において、インソールと足裏との間で滑りが生じ、インソールに対して足指のグリップ力が不十分となっていた。
【０００５】
インソールに対して足指のグリップ力が不十分であると、アウトソールの爪先部分と接地面との間のグリップ力を確保することが難しいという問題がある。
【０００６】
そこで、この考案の課題は、アウトソールの爪先部分と接地面との間のグリップ力を確保するシューズを提供することにある。
【課題を解決するための手段】
【０００７】
上記の課題を解決するために、接地するアウトソール上に足裏が接するインソールが設けられるソールと、前記インソール上に設けられるアッパーとを備えるシューズにおいて、前記アッパーは、足指を覆う爪先部と、その爪先部の後側部に設けられ、足の甲を覆う左右の羽根と、その左右の羽根に対して前後方向に間隔をおいて配置される踵部とを有し、その踵部は前記左右の羽根にそれぞれ係合するフックを備え、前記ソールは柔軟性を有し、そのインソールが鼻緒部を有し、前記アウトソールが、爪先側部分の下部に弾性を有する複数の突出部を備え、その突出部は、前記インソールに接する足指の腹の形状および位置に対応して、前記アウトソールの下部に設けられた構成を採用することができる。
【０００８】
この構成において、前記アウトソールの爪先部分にピンを備え、そのピンが接地面に対して係止可能である構成を採用することができる。
【考案の効果】
【０００９】
この考案は、インソールと鼻緒部との間で足指が保持されて、インソールに対して足指のグリップ力が増し、また、アウトソールの爪先部分に設けられた複数の突出部が接地面に対して滑ることなく引っかかるので、アウトソールの爪先部分と接地面との間のグリップ力が確保され、走行時、使用者の蹴り出し力を接地面に対して効率良く伝えることが可能となる。
【図面の簡単な説明】
【００１０】
【図１】この考案に係るシューズの実施形態を示す側面図
【図２】同上のシューズの実施形態を示す平面図
【図３】同上のシューズの実施形態を示す底面図
【図４】同上のシューズの実施形態の下から見た一部拡大斜視図
【図５】同上のシューズの実施形態を示す一部拡大側面図
【図６】同上のシューズの実施形態の一部切り欠き断面図
【考案を実施するための形態】
【００１１】
以下、この考案に係るシューズの実施形態を図１〜６に示す。
このシューズは、図１〜３に示すように、ソール１０と、ソール１０の上に設けられるアッパー１１とを備える。また、このシューズは、左右対称に一対組み合わされて使用されるため、前記一対のうち、左足用の片側を例に挙げて説明する。
【００１２】
ソール１０は、足裏が接するインソール１２と、接地面側に配置されるアウトソール１３とが一体に形成されたものである。インソール１２は、柔軟性を有する平板状をなし、上部に鼻緒部１４を備えている。
【００１３】
鼻緒部１４は、第一紐状体１４ａと第二紐状体１４ｂとから構成され、インソール１２上部に固定される。すなわち、第一紐状体１４ａ及び第二紐状体１４ｂの一端は、インソール１２上部の前側において、同じ位置に固定されている。第一紐状体１４ａの他端は、その一端の固定位置よりも後方の右側に固定され、第二紐状体１４ｂの他端は、その一端の固定位置よりも後方の左側にそれぞれ固定されている。
【００１４】
使用者がシューズを履く状態で、第一紐状体１４ａ及び第二紐状体１４ｂは、その一端が足指の第一指と第二指との間に位置する。また、第一紐状体１４ａ及び第二紐状体１４ｂは、足指の上から後方へ向かって足の左右の側面へ沿い、鼻緒部１４が使用者の足指をインソール１２との間で保持する。
【００１５】
アウトソール１３は、柔軟性を有する平板状をなし、爪先側に設けられた爪先突出部１５と、前後方向中央に設けられる中央突出部１６と、踵側に設けられた踵突出部１７と、爪先側の前方縁部に設けられたピン１８とを有する。
【００１６】
爪先突出部１５は、図４に示すように、インソール１２に接する五本の足指の腹の形状及び位置に応じた形状および位置で並んで設けられ、アウトソール１３から下方に突き出している。また、爪先突出部１５は、柱状をなし、その下面が足指の腹の表面のように、中央に向かって下方へ膨らむ凸面状となっている。
【００１７】
中央突出部１６は板状をなし、アウトソール１３に対して、足裏の指と踵を除いた中央部分のうち、さらに土踏まずを除いた形状、位置に配置されている（図３参照）。踵突出部１７は、アウトソール１３の後ろ側に円板状に形成されている。
【００１８】
爪先突出部１５、中央突出部１６及び踵突出部１７は、弾性を有する素材から形成され、例えば、ウレタンフォーム、連続気泡のラバーフォームなどから形成することができる。
【００１９】
ピン１８は、図４に示すように、アウトソール１３の前側縁の四箇所に取り付けられている。それぞれのピン１８は、先端が尖っており、アウトソール１３に固定された柱形の台座１８ａの中央から下方に突出している。
【００２０】
なお、ピン１８はアウトソール１３の前側縁に必ずしも取り付ける必要はない。ピン１８を取り付けると、使用者が走る際、各ピン１８が接地面に食い込み、アウトソール１３の爪先部分が接地面に対してより確実に引っかけることが可能となるので、好ましい。
【００２１】
アッパー１１は、爪先を覆う爪先部２１と、爪先部２１に対して後方に設けられる左右の羽根２２、２２と、左右の羽根２２、２２の下方に配置されるベロ２３と、踵を受ける踵部２４とを有する。
【００２２】
爪先部２１は、インソール１２に対して前側縁から左右の側縁にわたり固定され、インソール１２との間で足指が収納可能に湾曲している。爪先部２１の後側の左右両側に羽根２２が設けられ、爪先部２１の後側部の中央にベロ２３が取り付けられている。
【００２３】
左右の羽根２２、２２は、その下端がインソール１２の左右の側縁にそれぞれ固定され、その前側部分が爪先部２１の後側部分の外側に重なっている。また、左右の羽根２２は、図２に示すように、上端部に複数設けられる紐孔２５と、後側部に複数設けられる紐状の係止部２６とを備えている。
【００２４】
紐孔２５は、左右の羽根２２の上端部において、前後方向に四箇所並んで設けられている。係止部２６は、羽根２２の上部の後側部に対して、両端部が上下方向に固定される紐状体で構成され、前後方向に三箇所並んで設けられている。
【００２５】
左右の羽根２２の紐孔２５に交互に通される靴紐２７は、これを締結することで、使用者の足の甲を左右の羽根２２により保持することが可能となる。
【００２６】
踵部２４は、使用者の踵の周りにインソール１２の後側縁から左右の側縁にかけて固定され、左右両側の前側端に設けられる左右のフック２８を備える。また、踵部２４は、爪先部２１及び左右の羽根２２に対して、前後方向に間隔をおいて設けられている。
【００２７】
踵部２４の左右のフック２８は、図６に示すように、その一端が踵部２４に対して回動可能に取り付けられ、他端が折り曲げられている。インソール１２の後側部を上方に持上げた状態で、左右のフック２８が、左右の羽根２２の係止部２６に係合可能となっている。また、使用者の足の大きさに応じて、前後方向に複数並ぶ係止部２６のうち、フック２８を係合するものを適宜選択し、フック２８の係合位置を前後に調節することができる。
【００２８】
この実施形態のシューズは、以上のように構成される。次に、このシューズの使用方法を図面に基づいて説明する。
【００２９】
まず、使用者はアッパー１１のベロ２３を持ち上げた状態で、左右の羽根２２、２２と、踵部２４との間から、左右の足を入れる。そして、鼻緒部１４の第一紐状体１４ａ及び第二紐状体１４ｂの一端を足指の第一指と第二指との間に位置させる。これにより、第一紐状体１４ａ及び第二紐状体１４ｂとインソール１２との間に足指を保持させる。
【００３０】
次に、アッパー１１の踵部２４内に使用者の踵を入れ、踵部２４の左右のフック２８を、左右の羽根２２の係止部２６にそれぞれ引っかける。このとき、前後方向に複数並ぶ係止部２６のうち、使用者の踵をアッパー１１の踵部２４により保持することができるものに、左右のフック２８を引っかけて係合する。
【００３１】
この係合により、アッパー１１の踵部２４が使用者の踵を囲む状態に保持し、使用者の踵の上下動に対して、インソール１２、アウトソール１３の後側部を追従させることができる。その結果、インソール１２と使用者の踵との間が離れることがない。
【００３２】
このようにして、シューズを履く状態で、使用者が走ると、鼻緒部１４とインソール１２との間で足指が保持されるので、インソール１２に対して足指のグリップ力が増して、アウトソール１３の爪先部分と接地面との間のグリップ力が確保される。
【００３３】
また、アウトソール１３の爪先部分に設けられた爪先突出部１５が接地面に対して滑ることなく引っかかり、さらに、ピン１８が接地面に食い込むので、アウトソール１３の爪先部分と接地面との間のグリップ力が確保される。
【００３４】
このように、アウトソール１３の爪先部分と接地面との間のグリップ力が確保されることで、使用者が走る際、使用者の蹴り出し力を接地面に対して効率良く伝えることが可能となる。
【符号の説明】
【００３５】
１０  ソール
１１  アッパー
１２  インソール
１３  アウトソール
１４  鼻緒部
１４ａ  第一紐状体
１４ｂ  第二紐状体
１５  爪先突出部
１６  中央突出部
１７  踵突出部
１８  ピン
１８ａ  台座
２１  爪先部
２２  羽根
２３  ベロ
２４  踵部
２５  紐孔
２６  係止部
２７  靴紐
２８  フック
【図１】
0003190579.tif 000003
【図２】
0003190579.tif 000004
【図３】
0003190579.tif 000005
【図４】
0003190579.tif 000006
【図５】
0003190579.tif 000007
【図６】
0003190579.tif 000008